(57)【要約】【課題】筐体へのコネクタの取り付けの際における端子の位置の変動幅を抑制することが可能なコネクタ、ワイヤハーネス、及び保持部材を提供する。【解決手段】雌コネクタ１１は、第１雌端子３１及び第２雌端子３２を保持して取付孔７１０に少なくとも一部が収容される雌側ハウジング２０を備え、雌側ハウジング２０は、本体部１１０と、取付孔７１０の開口端面７１０ｂに接触する接触面２１１ａを有し、かつ取付孔７１０に固定するためのケーブル側ボルト１３を挿通させる１つのボルト挿通孔１３０が形成されたフランジ部２１１（１１１）とを有し、フランジ部２１１（１１１）の接触面２１１ａを含む仮想平面と第１の挿通孔２３０の中心軸との交点を第１の交点Ｐ１とし、仮想平面と前記第２の挿通孔２４０の中心軸との交点を第２の交点Ｐ２としたとき、接触面２１１ａにおけるボルト挿通孔１３０の開口１３０ａが第１の交点Ｐ１と第２の交点Ｐ２とを結ぶ線分の垂直二等分線に交差する。【選択図】図６
2014154255.tif 000002
【特許請求の範囲】
【請求項１】
筐体に設けられた取付孔を有する取付部に固定されるコネクタであって、
第１及び第２の端子と、
前記第１及び第２の端子を保持して前記取付孔に少なくとも一部が収容されるハウジングとを備え、
前記ハウジングは、
前記第１の端子に接続される第１のケーブルを挿通させる第１の挿通孔、及び前記第２の端子に接続される第２のケーブルを挿通させる第２の挿通孔が形成された本体部と、
前記取付孔の開口端面に接触する接触面を有し、かつ前記取付孔に固定するためのボルトを挿通させる１つのボルト挿通孔が形成されたフランジ部とを有し、
前記フランジ部の前記接触面を含む仮想平面と前記第１の挿通孔の中心軸との交点を第１の交点とし、前記仮想平面と前記第２の挿通孔の中心軸との交点を第２の交点としたとき、前記接触面における前記ボルト挿通孔の開口が前記第１の交点と前記第２の交点とを結ぶ線分の垂直二等分線に交差する、
コネクタ。
【請求項２】
前記ボルト挿通孔の前記開口は、
前記第１の交点を第１の頂点とし、前記第２の交点を第２の頂点とする正三角形における第３の頂点を含む、
請求項１に記載のコネクタ。
【請求項３】
請求項１又は２に記載のコネクタと、
前記第１のケーブル及び前記第２のケーブルとを備えた、
ワイヤハーネス。
【請求項４】
筐体に設けられた取付孔を有する取付部に固定され、前記取付孔に介挿された第１及び第２のケーブルを保持する保持部材であって、
前記第１のケーブルを挿通させる第１の挿通孔、及び前記第２のケーブルを挿通させる第２の挿通孔が形成された本体部と、
前記取付孔の開口端面に接触する接触面を有し、かつ前記取付孔に保持するためのボルトを挿通させる１つのボルト挿通孔が形成されたフランジ部とを有し、
前記フランジ部の前記接触面を含む仮想平面と前記第１の挿通孔の中心軸との交点を第１の交点とし、前記仮想平面と前記第２の挿通孔の中心軸との交点を第２の交点としたとき、前記接触面における前記ボルト挿通孔の開口が前記第１の交点と前記第２の交点とを結ぶ線分の垂直二等分線に交差する、
保持部材。
【発明の詳細な説明】
【技術分野】
【０００１】
本発明は、筐体に取り付けて用いられるコネクタ、そのコネクタとケーブルとを備えたワイヤハーネス、及びケーブルを保持する保持部材に関する。
【背景技術】
【０００２】
従来、電磁波を遮蔽可能な導電性金属からなる筐体を有する電気機器に接続されるコネクタとして、筐体内の機器側端子に接続される端子と、この端子を保持すると共に筐体に固定されるハウジングとを備えたものが知られている（例えば、特許文献１参照。）
【０００３】
特許文献１に記載のコネクタは、１つ又は複数の端子と、これらの端子を樹脂モールドによって保持するコネクタ本体とを備えている。コネクタ本体は、それぞれの端子に対応して設けられた筒状部と、筒状部に対して直交する方向に突出して筐体の外面に取り付けられる取付部とを一体に有している。筒状部は、筐体の取付孔に嵌挿され、端子の接続部を筐体内に露出させる。取付部には、筐体に形成された雌ネジ孔に螺合するボルトを挿通させるボルト貫通部が形成され、このボルトによってコネクタ本体が筐体に固定される。
【０００４】
特許文献１には、１つの端子を備えたコネクタ、及び３つの端子を備えたコネクタが記載されている。１つの端子を備えたコネクタのコネクタ本体には、取付部に１つのボルト貫通部が形成されている。３つの端子を備えたコネクタのコネクタ本体には、取付部に２つのボルト貫通部が形成されている。
【０００５】
３つの端子を保持するコネクタ本体の取付部は、３つの筒状部を連結するように１枚の板状をなしている。取付部には、３つの筒状部の配列方向に平行な方向の両端部に一対のボルト貫通部が形成され、この一対のボルト貫通部を貫通した２本のボルトによって機器側の筐体にコネクタが取り付けられる。２本のボルトによって３つの端子を有するコネクタが機器側の筐体に取付けられるため、１つの端子を備えたコネクタを個別に筐体に取り付ける場合に比較して、コネクタの取り付け作業を容易化することができる。
【先行技術文献】
【特許文献】
【０００６】
【特許文献１】特開２００３−３１２７９号公報
【発明の概要】
【発明が解決しようとする課題】
【０００７】
ところで、３つの端子を備えたコネクタを筐体に取り付ける際、一対のボルト貫通部に同時に２つのボルトを締め付けることは困難であるため、一方のボルト貫通部に挿入されたボルトを締め付けた後に、他方のボルト貫通部に挿入されたボルトを締め付けることになる。一方のボルト貫通部に挿入されたボルトを締め付ける際、取付部がボルトに連れ回りすると、コネクタ本体が筐体の取付孔に対して傾き、筐体内における端子の接続部の位置が変動してしまう。この端子の位置の変動幅は、一方のボルト貫通部からの距離に比例して、遠い位置にある筒状部の端子ほど大きくなる。端子の位置が大きく変動すると、筐体内における基板や端子台との接続が適切に行えなくなるおそれがある。
【０００８】
そこで、本発明の目的は、筐体へのコネクタの取り付けの際における端子の位置の変動幅を抑制することが可能なコネクタ、ワイヤハーネス、及び保持部材を提供することにある。
【課題を解決するための手段】
【０００９】
本発明は、上記課題を解決することを目的として、筐体に設けられた取付孔を有する取付部に固定されるコネクタであって、第１及び第２の端子と、前記第１及び第２の端子を保持して前記取付孔に少なくとも一部が収容されるハウジングとを備え、前記ハウジングは、前記第１の端子に接続される第１のケーブルを挿通させる第１の挿通孔、及び前記第２の端子に接続される第２のケーブルを挿通させる第２の挿通孔が形成された本体部と、前記取付孔の開口端面に接触する接触面を有し、かつ前記取付孔に固定するためのボルトを挿通させる１つのボルト挿通孔が形成されたフランジ部とを有し、前記フランジ部の前記接触面を含む仮想平面と前記第１の挿通孔の中心軸との交点を第１の交点とし、前記仮想平面と前記第２の挿通孔の中心軸との交点を第２の交点としたとき、前記接触面における前記ボルト挿通孔の開口が前記第１の交点と前記第２の交点とを結ぶ線分の垂直二等分線に交差するコネクタを提供する。
【００１０】
また、上記課題を解決することを目的として、前記コネクタと、前記第１のケーブル及び前記第２のケーブルとを備えたワイヤハーネスを提供する。
【００１１】
また、上記課題を解決することを目的として、筐体に設けられた取付孔を有する取付部に固定され、前記取付孔に介挿された第１及び第２のケーブルを保持する保持部材であって、前記第１のケーブルを挿通させる第１の挿通孔、及び前記第２のケーブルを挿通させる第２の挿通孔が形成された本体部と、前記取付孔の開口端面に接触する接触面を有し、かつ前記取付孔に保持するためのボルトを挿通させる１つのボルト挿通孔が形成されたフランジ部とを有し、前記フランジ部の前記接触面を含む仮想平面と前記第１の挿通孔の中心軸との交点を第１の交点とし、前記仮想平面と前記第２の挿通孔の中心軸との交点を第２の交点としたとき、前記接触面における前記ボルト挿通孔の開口が前記第１の交点と前記第２の交点とを結ぶ線分の垂直二等分線に交差する保持部材を提供する。
【発明の効果】
【００１２】
本発明に係るコネクタ、ワイヤハーネス、及び保持部材によれば、筐体へのコネクタの取り付けの際における端子の位置の変動幅を抑制することが可能である。
【図面の簡単な説明】
【００１３】
【図１】本発明の実施の形態に係るコネクタ装置の構成例を筐体の一部と共に示す斜視図である。
【図２】雌コネクタと雄コネクタとが筐体を介して嵌合した状態を示す、図１のＡ−Ａ線断面図である。
【図３】雌コネクタの構成例を示す斜視図である。
【図４】雄コネクタの構成例を示す斜視図である。
【図５】筐体の構成例を示す斜視図である。
【図６】図１Ｂ矢視方向から見たフランジ部の接触面を含む仮想平面における雌側ハウジングを模式的に示す模式図である。
【発明を実施するための形態】
【００１４】
［実施の形態］
図１は、本発明の実施の形態に係るコネクタ装置の構成例を筐体の一部と共に示す斜視図である。
【００１５】
（コネクタ装置１の全体構成）
このコネクタ装置１は、雌コネクタ１１及び雄コネクタ１２から構成されている。雌コネクタ１１は筐体７の外部に配置され、雄コネクタ１２は筐体７の内部に配置されている。筐体７には、板状の壁部７０の一部にコネクタ装置１を取り付けるための取付部７１が形成されている。この筐体７は、例えばモータにスイッチングされた電流を供給するインバータのケースである。
【００１６】
雌コネクタ１１は、本体部１１０及びフランジ部１１１を有している。本体部１１０には、例えば筐体７内の機器に電源を供給するための第１のケーブル６１及び第２のケーブル６２を挿通させる挿通孔が形成されている。雌コネクタ１１は、フランジ部１１１を挿通するケーブル側ボルト１３によって筐体７の取付部７１に固定されている。一方、雄コネクタ１２は、一対の機器側ボルト１４によって筐体７の壁部７０に固定されている。
【００１７】
図２は、雌コネクタ１１と雄コネクタ１２とが筐体７を介して嵌合した状態を示す、図１のＡ−Ａ線断面図である。図３は、雌コネクタ１１の構成例を示す斜視図である。
【００１８】
（雌コネクタ１１の構成）
雌コネクタ１１は、第１雌端子３１及び第２雌端子３２と、雌側ハウジング２０とを備えている。第１雌端子３１は、後述する第１雄端子５１が嵌合される直方体形状の本体部３１１と、第１のケーブル６１の導体６１０を加締める加締部３１２とを一体に有している。同様に、第２雌端子３２は、後述する第２雄端子５２が嵌合される直方体形状の本体部３２１と、第２のケーブル６２の導体６２０を加締める加締部３２２とを一体に有している。
【００１９】
雌側ハウジング２０は、互いに連結された第１乃至第４ハウジング部材２１〜２４から構成されている。第１ハウジング部材２１は、アルミニウム等の金属からなり、筐体７の取付部７１に形成された取付孔７１０に嵌合される嵌合部２１０と、フランジ部２１１（図１におけるフランジ部１１１）とを一体に有している。嵌合部２１０の一端には凹部２１０ａが形成され、この凹部２１０ａに環状のシール部材２６が配置されている。シール部材２６は、嵌合部２１０と、筐体７の取付孔７１０の内面７１０ａとの間をシールする。フランジ部２１１（１１１）は、筐体７の取付孔７１０の開口端面７１０ｂに面接触する平面状の接触面２１１ａを有している。フランジ部２１１（１１１）には、雌コネクタ１１を取付孔７１０に固定するためのケーブル側ボルト１３を挿通させる１つのボルト挿通孔１３０が形成されている。
【００２０】
第２ハウジング部材２２は、樹脂からなり、一対の端子保持部２２１と、端子保持部２２１の外方に突出する鍔部２２２と、第１ハウジング部材２１の嵌合部２１０に内嵌された連結部２２３とを一体に有している。一対の端子保持部２２１は、第１雌端子３１及び第２雌端子３２をそれぞれ保持し、連結部２２３によって第１ハウジング部材２１に連結されている。鍔部２２２は、一対の端子保持部２２１と連結部２２３との間から筐体７の取付孔７１０の内面７１０ａに向かって突出し、シール部材２６を抜け止めしている。
【００２１】
第３ハウジング部材２３は、アルミニウム等の金属からなる筒状の部材であり、その軸方向における第１雌端子３１側の端部である基端部２３１が第１ハウジング部材２１に形成された第１嵌合穴２１ａに圧入により嵌合されている。第３ハウジング部材２３には、第１のケーブル６１を挿通させ、第１のケーブル６１の延伸方向に延びる第１の挿通孔２３０が形成されている。第１のケーブル６１は、導体６１０と、導体６１０を被覆する絶縁被覆６１１と、絶縁被覆６１１の外周に形成された編組シールド６１２と、編組シールド６１２を絶縁するシース６１３とからなる。
【００２２】
編組シールド６１２は、その端部がシース６１３から露出して第１雌端子３１の反対側に折り返され、シース６１３の外側にてフェルール２３３によって加締められている。
【００２３】
第３ハウジング部材２３の先端部２３２（第１雌端子３１の反対側の端部）における第１の挿通孔２３０の内部には、パッキン２５３が設けられ、第１のケーブル６１と第３ハウジング部材２３との間がシールされている。さらに、第１の挿通孔２３０から導出された第１のケーブル６１の外面及び第３ハウジング部材２３の先端部２３２の外面は、熱収縮性を有するチューブ２５１によって覆われている。
【００２４】
第４ハウジング部材２４は、アルミニウム等の金属からなる筒状の部材であり、その軸方向における第２雌端子３２側の端部である基端部２４１が第１ハウジング部材２１に形成された第２嵌合穴２１ｂに圧入により嵌合されている。第４ハウジング部材２４は、第３ハウジング部材２３と同様の構成からなる。つまり、第４ハウジング部材２４には、第２のケーブル６２を挿通させ、第２のケーブル６２の延伸方向に延びる第２の挿通孔２４０が形成されている。第２のケーブル６２は、導体６２０と、導体６２０を被覆する絶縁被覆６２１と、絶縁被覆６２１の外周に形成された編組シールド６２２と、編組シールド６２２を絶縁するシース６２３とからなる。
【００２５】
編組シールド６２２は、その端部がシース６２３から露出して第２雌端子３２の反対側に折り返され、シース６２３の外側にてフェルール２４３によって加締められている。
【００２６】
第４ハウジング部材２４の先端部２４２（第２雌端子３２の反対側の端部）における第２の挿通孔２４０の内部には、パッキン２５４が設けられ、第２のケーブル６２と第４ハウジング部材２４との間がシールされている。さらに、第２の挿通孔２４０から導出された第２のケーブル６２の外面及び第４ハウジング部材２４の先端部２４２の外面は、熱収縮性を有するチューブ２５２によって覆われている。
【００２７】
第１ハウジング部材２１、第３ハウジング部材２３、及び第４ハウジング部材２４は、第１のケーブル６１及び第２のケーブル６２を保持する保持部材１０として構成されている。
【００２８】
（雄コネクタ１２の構成）
本実施の形態では、雄コネクタ１２は、第１雄端子５１及び第２雄端子５２と、雄側ハウジング４０とを備えている。
【００２９】
第１雄端子５１は、第１雌端子３１の本体部３１１に嵌合される板状の接続部５１１と、機器側の基板８に接続されるリード部５１３と、接続部５１１及びリード部５１３を連結する連結部５１２とを一体に有している。
【００３０】
第２雄端子５２は、第１雄端子５１と同様に、第２雌端子３２の本体部３２１に嵌合される板状の接続部５２１と、基板８に接続されるリード部５２３と、接続部５２１及びリード部５２３を連結する連結部５２２とを一体に有している。
【００３１】
雄側ハウジング４０は、本体部４００と、第１雄端子５１及び第２雄端子５２を収容する一対の端子収容部４０１と、筐体７の壁部７０に接触する接触面４０２ａを有するフランジ部４０２とから構成されている。
【００３２】
図４は、雄コネクタ１２の構成例を示す斜視図である。
【００３３】
雄側ハウジング４０の本体部４００及びフランジ部４０２には、雌側ハウジング２０の一対の端子保持部２２１を収容する一対の収容孔４０５が連続して形成されている。
【００３４】
フランジ部４０２における一対の収容孔４０５の開口４０５ａは、四隅が丸みを帯びた長方形状に形成されている。フランジ部４０２には、筐体７の壁部７０に固定するための一対の機器側ボルト１４を挿通させるための一対の機器側ボルト挿通孔４０４が形成されている。また、筐体７の取付孔７１０に嵌合される嵌合部４０３が、フランジ部４０２の接触面４０２ａから筐体７の取付孔７１０に向かって突出するように形成されている。
【００３５】
嵌合部４０３は、一対の収容孔４０５の開口４０５ａの外縁を囲むようにして形成されている。また、嵌合部４０３の外縁には、雌コネクタ１１と雄コネクタ１２との嵌合方向に垂直な方向に向かって突出する複数の突起部４０３ａが形成されている。本実施の形態では、複数の突起部４０３ａは、８つの突起部４０３ａが、一対の収容孔４０５の並び方向に沿って開口４０５ａを挟むように上下に４つずつ配置され、２つの突起部４０３ａが、一対の収容孔４０５の並び方向に開口４０５ａを挟んで左右に１つずつ配置されている。
【００３６】
一対の機器側ボルト挿通孔４０４の内周には、金属製のカラー４０４ａがそれぞれ設けられている。このカラー４０４ａと、第１雄端子５１及び第２雄端子５２とは、例えばインサート成形により形成されている。
【００３７】
（筐体７の構成）
図５は、筐体７の構成例を示す斜視図である。筐体７は、壁部７０、及び壁部７０の一側面側から突出するように形成された取付部７１を一体に有している。取付部７１には、四隅が丸みを帯びた長方形状の取付孔７１０と、ケーブル側ボルト１３が締付けられるねじ孔７１１とが形成されている。
【００３８】
図６は、図１におけるＢ矢視方向から見たフランジ部２１１（１１１）の接触面２１１ａを含む仮想平面における雌側ハウジング２０を模式的に示す模式図である。なお、ケーブル側ボルト１３、第１のケーブル６１、及び第２のケーブル６２は図示を省略している。
【００３９】
より具体的には、フランジ部２１１（１１１）の接触面２１１ａを含む仮想平面と第１の挿通孔２３０の中心軸との交点を第１の交点Ｐ１とし、仮想平面と第２の挿通孔２４０の中心軸との交点を第２の交点Ｐ２としたとき、接触面２１１ａにおけるボルト挿通孔１３０の開口１３０ａが、第１の交点Ｐ１と第２の交点Ｐ２とを結ぶ線分の垂直二等分線Ｍに交差している。
【００４０】
本実施の形態では、ボルト挿通孔１３０の開口１３０ａは、この仮想平面において第１の交点Ｐ１を第１の頂点とし、第２の交点Ｐ２を第２の頂点とする正三角形における第３の頂点Ｐ３を含むように形成されている。図６において、第３の頂点Ｐ３は、第１の交点Ｐ１及び第２の交点Ｐ２よりも上方に位置している。
【００４１】
フランジ部２１１（１１１）の外縁は、五角形の角が取れ、丸みを帯びた形状を有している。より具体的には、一対の斜辺Ｓ１，Ｓ２と、一対の対辺Ｓ３，Ｓ５と、底辺Ｓ４から構成されている。以下、フランジ部２１１（１１１）の外縁が五角形であるものとしてその形状を説明する。
【００４２】
一対の斜辺Ｓ３，Ｓ５は、垂直二等分線Ｍに平行であり、第１の挿通孔２３０の開口２３０ａ及び第２の挿通孔２４０の開口２４０ａを挟んで対向している。図６では、右側が対辺Ｓ３であり、左側が対辺Ｓ５である。底辺Ｓ４は、第１の交点Ｐ１と第２の交点Ｐ２を結ぶ線分に平行であり、一対の対辺Ｓ３，Ｓ５を連結している。斜辺Ｓ１は、対辺Ｓ５の一端からボルト挿通孔１３０の開口１３０ａに向かって斜めに延び、他端が垂直二等分線Ｍに交わっている。斜辺Ｓ２は、対辺Ｓ３の一端からボルト挿通孔１３０の開口１３０ａに向かって斜めに延び、他端が垂直二等分線Ｍに交わっている。すなわち、斜辺Ｓ１と斜辺Ｓ２とは、垂直二等分線Ｍに交わると共に、斜辺Ｓ１と斜辺Ｓ２とが互いに交わっている。
【００４３】
（実施の形態の作用及び効果）
以上説明した実施の形態によれば、以下のような作用及び効果が得られる。
【００４４】
（１）フランジ部２１１（１１１）の接触面２１１ａにおけるボルト挿通孔１３０の開口１３０ａが、第１の挿通孔２３０における第１の交点Ｐ１と第２の挿通孔２４０における第２の交点Ｐ２とを結ぶ線分の垂直二等分線に交差しているため、第１の挿通孔２３０及び第２の挿通孔２４０は、互いにボルト挿通孔１３０からの距離が許容範囲において実質的に等しい。したがって、第１の挿通孔２３０におけるトルクと第２の挿通孔２４０におけるトルクが等しくなる。これにより、ボルト挿通孔１３０に挿入されたケーブル側ボルト１３を締め付ける際、雌コネクタ１１の筐体７の取付孔７１０に対する傾きを抑制することができる。
【００４５】
（２）ボルト挿通孔１３０の開口１３０ａは、第１の交点Ｐ１を第１の頂点とし、第２の交点Ｐ２を第２の頂点とする正三角形における第３の頂点Ｐ３を含むように形成されているため、ボルト挿通孔１３０の開口１３０ａと第１の挿通孔２３０の開口２３０ａとの距離、ボルト挿通孔１３０の開口１３０ａと第２の挿通孔２４０の開口２４０ａとの距離、及び第１の挿通孔２３０の開口２３０ａと第２の挿通孔２４０の開口２４０ａとの距離がすべて許容範囲において実質的に等しくなる。これにより、ボルト挿通孔１３０に挿入されたケーブル側ボルト１３を締め付ける際、雌コネクタ１１の筐体７の取付孔７１０に対する傾きをより確実に抑制することが可能である。
【００４６】
（３）雌コネクタ１１は、１つのケーブル側ボルト１３によって取付部７１に固定されているため、雌コネクタ１１の小型化につながる。また、フランジ部２１１（１１１）は、その外縁が、一対の斜辺を有する丸みを帯びた五角形状に形成されている。これにより、余分な部材を減らし、小型化及び軽量化を図ることが可能である。さらに、コストの低減にもつながる。
【００４７】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００４８】
［１］筐体（７）に設けられた取付孔（７１０）を有する取付部（７１）に固定されるコネクタ（雌コネクタ１１）であって、第１及び第２の端子（第１雌端子３１，第２雌端子３２）と、前記第１及び第２の端子（第１雌端子３１，第２雌端子３２）を保持して前記取付孔（７１０）に少なくとも一部が収容されるハウジング（雌側ハウジング２０）とを備え、前記ハウジング（雌側ハウジング２０）は、前記第１の端子（第１雌端子３１）に接続される第１のケーブル（６１）を挿通させる第１の挿通孔（２３０）、及び前記第２の端子（第２雌端子３２）に接続される第２のケーブル（６２）を挿通させる第２の挿通孔（２４０）が形成された本体部（１１０）と、前記取付孔（７１０）の開口端面（７１０ｂ）に接触する接触面（２１１ａ）を有し、かつ前記取付孔（７１０）に固定するためのボルト（ケーブル側ボルト１３）を挿通させる１つのボルト挿通孔（１３０）が形成されたフランジ部（１１１／２１１）とを有し、前記フランジ部（１１１／２１１）の前記接触面（２１１ａ）を含む仮想平面と前記第１の挿通孔（２３０）の中心軸との交点を第１の交点（Ｐ１）とし、前記仮想平面と前記第２の挿通孔（２４０）の中心軸との交点を第２の交点（Ｐ２）としたとき、前記接触面（２１１ａ）における前記ボルト挿通孔（１３０）の開口（１３０ａ）が前記第１の交点（Ｐ１）と前記第２の交点（Ｐ２）とを結ぶ線分の垂直二等分線に交差するコネクタ（雌コネクタ１１）。
【００４９】
［２］前記ボルト挿通孔（１３０）の前記開口（１３０ａ）は、前記第１の交点（Ｐ１）を第１の頂点とし、前記第２の交点（Ｐ２）を第２の頂点とする正三角形における第３の頂点（Ｐ３）を含む、［１］に記載のコネクタ（雌コネクタ１１）。
【００５０】
［３］［１］又は［２］に記載のコネクタ（雌コネクタ１１）と、前記第１のケーブル（６１）及び前記第２のケーブル（６２）とを備えた、ワイヤハーネス（１００）。
【００５１】
［４］筐体（７）に設けられた取付孔（７１０）を有する取付部（７１）に固定され、前記取付孔（７１０）に介挿された第１のケーブル（６１）及び第２のケーブル（６２）を保持する保持部材（雌側ハウジング２０）であって、前記第１のケーブル（６１）を挿通させる第１の挿通孔（２３０）、及び前記第２のケーブル（６２）を挿通させる第２の挿通孔（２４０）が形成された本体部（１１０）と、前記取付孔（７１０）の開口端面（７１ｂ）に接触する接触面（２１１ａ）を有し、かつ前記取付孔（７１０）に保持するためのボルト（ケーブル側ボルト１３）を挿通させる１つのボルト挿通孔（１３０）が形成されたフランジ部（１１１／２１１）とを有し、前記フランジ部（１１１／２１１）の前記接触面（２１１ａ）を含む仮想平面と前記第１の挿通孔（２３０）の中心軸との交点を第１の交点（Ｐ１）とし、前記仮想平面と前記第２の挿通孔（２４０）の中心軸との交点を第２の交点（Ｐ２）としたとき、前記接触面（２１１ａ）における前記ボルト挿通孔（１３０）の開口（１３０ａ）が前記第１の交点（Ｐ１）と前記第２の交点（Ｐ２）とを結ぶ線分の垂直二等分線に交差する保持部材（雌側ハウジング２０）。
【００５２】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００５３】
上記実施の形態では、第１のケーブル６１及び第２のケーブル６２を備えたワイヤハーネス１００について説明したが、これに限らず、ケーブルの本数に制限はない。
【００５４】
また、上記実施の形態では、フランジ部２１１（１１１）の外縁は、丸みを帯びた五角形状を有していたが、これに限らず、例えば筐体７の取付孔７１０の開口端面７１ｂと同様の形状に形成されていてもよい。
【００５５】
また、上記実施の形態では、ボルト挿通孔１３０の開口１３０ａの中心点が正三角形の第３の頂点Ｐ３に一致していたが、これに限らず、開口１３０ａが第３の頂点Ｐ３をその領域内に含んでいればよい。例えば、開口１３０ａが第１の挿通孔２３０の開口２３０ａ側にずれていてもよいし、第２の挿通孔２４０の開口２４０ａ側にずれていてもよい。
【００５６】
また、上記実施の形態では、ボルト挿通孔１３０の開口１３０ａは、第１の挿通孔２３０の開口２３０ａ及び第２の挿通孔２４０の開口２４０ａの上方に形成されていたが、これに限らず、開口１３０ａが第１の交点Ｐ１と第２の交点Ｐ２とを結ぶ線分の垂直二等分線Ｍに交差するように形成されていればよい。例えば、第１の挿通孔２３０の開口２３０ａ及び第２の挿通孔２４０の開口２４０ａの下方に形成されていてもよい。
【符号の説明】
【００５７】
１…コネクタ装置、７…筐体、８…基板、１０…保持部材、１１…雌コネクタ、１２…雄コネクタ、１３…ケーブル側ボルト、１４…機器側ボルト、２０…雌側ハウジング、２１…第１ハウジング部材、２１ａ…第１嵌合穴、２１ｂ…第２嵌合穴、２２…第２ハウジング部材、２３…第３ハウジング部材、２４…第４ハウジング部材、２６…シール部材、３１…第１雌端子、３２…第２雌端子、４０…雄側ハウジング、５１…第１雄端子、５２…第２雄端子、６１…第１のケーブル、６２…第２のケーブル、７０…壁部、７１…取付部、７１ｂ…開口端面、１００…ワイヤハーネス、１１０…本体部、１１１，２１１…フランジ部、１３０…ボルト挿通孔、１３０ａ…開口、２１０…嵌合部、２１０ａ…凹部、２１１ａ…接触面、２２１…端子保持部、２２２…鍔部、２２３…連結部、２３０…第１の挿通孔、２３０ａ，２４０ａ…開口、２３１，２４１…基端部、２３２，２４２…先端部、２３３，２４３…フェルール、２４０…第２の挿通孔、２５１，２５２…チューブ、２５３，２５４…パッキン、３１１，３２１…本体部、３１２，３２２…加締部、４００…本体部、４０１…端子収容部、４０２…フランジ部、４０２ａ…接触面、４０３…嵌合部、４０３ａ…突起部、４０４…機器側ボルト挿通孔、４０４ａ…カラー、４０５…収容孔、４０５ａ…開口、５１１，５２１…接続部、５１２，５２２…連結部、５１３，５２３…リード部、６１０，６２０…導体、６１１，６２１…絶縁被覆、６１２，６２２…編組シールド、６１３，６２３…シース、７１０…取付孔、７１０ａ…内面、７１０ｂ…開口端面、７１１…ねじ孔、Ｍ…垂直二等分線、Ｐ１…第１の交点、Ｐ２…第２の交点、Ｐ３…第３の頂点、Ｓ１，Ｓ２…斜辺、Ｓ３，Ｓ５…対辺、Ｓ４…底辺
【図１】
2014154255.tif 000003
【図２】
2014154255.tif 000004
【図３】
2014154255.tif 000005
【図４】
2014154255.tif 000006
【図５】
2014154255.tif 000007
【図６】
2014154255.tif 000008